(57)【要約】【課題】ＩＣタグインレットを装着した熱収縮性フィルム及びそれを用いた商品であって商品本体や商品を包装する包装体に対してＩＣタグインレットを容易に装着することができる熱収縮性フィルム及びその熱収縮性フィルムを用いた商品を提供することにある。【解決手段】小片状に型抜きした一軸方向延伸フィルム又は二軸方向延伸フィルムによる熱収縮性フィルム層１の裏面に感圧接着性層２が設けられ、該感圧接着性層２を介して、ＩＣタグインレット３が取り付け配置されているか、又は前記熱収縮性フィルム層１と感圧接着性層２との層間にＩＣタグインレット３が取り付け配置されている。【選択図】図１
2006305860.tif 000002
【特許請求の範囲】
【請求項１】
小片状に型抜きした一軸方向延伸フィルム又は二軸方向延伸フィルムによる熱収縮性フィルム層１の裏面に感圧接着性層２が設けられ、該感圧接着性層２を介して、偏平小片状のアンテナ付きＩＣチップからなる１単位のＩＣモジュールをフィルム基材に装着したＩＣタグインレット３が取り付け配置されていることを特徴とする非接触式ＩＣタグ付シュリンクフィルム。
【請求項２】
小片状に型抜きした一軸方向延伸フィルム又は二軸方向延伸フィルムによる熱収縮性フィルム層１の裏面に感圧接着性層２が設けられ、前記熱収縮性フィルム層１と感圧接着性層２との層間に偏平小片状のアンテナ付きＩＣチップからなる１単位のＩＣモジュールをフィルム基材に装着したＩＣタグインレット３が取り付け配置されていることを特徴とする非接触式ＩＣタグ付シュリンクフィルム。
【請求項３】
請求項１又は２記載の非接触式ＩＣタグ付シュリンクフィルムにおいて、前記ＩＣタグインレット３が、一軸方向延伸フィルムによる前記熱収縮性フィルム層１の延伸方向に対して略直交する方向を長手方向として取り付け配置されていることを特徴とする非接触式ＩＣタグ付シュリンクフィルム。
【請求項４】
請求項１又は２記載の非接触式ＩＣタグ付シュリンクフィルムにおいて、前記ＩＣタグインレット３が、二軸方向延伸フィルムによる前記熱収縮性フィルム層１のいずれか一方の延伸方向に対して略直交する方向を長手方向として取り付け配置されていることを特徴とする非接触式ＩＣタグ付シュリンクフィルム。
【請求項５】
請求項１乃至４のいずれか１項記載の非接触式ＩＣタグ付シュリンクフィルムにおいて、前記ＩＣタグインレット３のフィルム基材の端部に、前記熱収縮性フィルム層１のいずれか一方の延伸方向に対して平行な１乃至複数本の刻切線が設けられていることを特徴とする非接触式ＩＣタグ付シュリンクフィルム。
【請求項６】
請求項１乃至５のいずれか１項記載の非接触式ＩＣタグ付シュリンクフィルムにおいて、前記感圧接着性層２が、前記熱収縮性フィルム層１のいずれか一方の延伸方向の一端部又は両端部にベタ状又はドット状又はストライプ状等のパータン状に設けられていることを特徴とする非接触式ＩＣタグ付シュリンクフィルム。
【請求項７】
請求項１乃至５のいずれか１項記載の非接触式ＩＣタグ付シュリンクフィルムにおいて、前記感圧接着性層２が、前記熱収縮性フィルム層１の全面にベタ状又はドット状又はストライプ状等のパータン状に設けられていることを特徴とする非接触式ＩＣタグ付シュリンクフィルム。
【請求項８】
請求項１乃至５のいずれか１項記載の非接触式ＩＣタグ付シュリンクフィルムにおいて、前記感圧接着性層２が、前記熱収縮性フィルム層１に用いる熱収縮性フィルムに対して感熱接着性を備えることを特徴とする非接触式ＩＣタグ付シュリンクフィルム。
【請求項９】
請求項１乃至８のいずれか１項記載の非接触式ＩＣタグ付シュリンクフィルムにおいて、前記各々ＩＣタグ付シュリンクフィルムＡに１枚ずつ配置されたＩＣタグインレット３が、該シュリンクフィルムＡの領域における規則的にずれた異なる位置に配置されていることを特徴とする非接触式ＩＣタグ付シュリンクフィルム。
【請求項１０】
請求項９記載の非接触式ＩＣタグ付シュリンクフィルムにおいて、前記各々ＩＣタグ付シュリンクフィルムＡに１枚ずつ配置されたＩＣタグインレット３が、該シュリンクフィ
ルムＡの領域における一次元方向に規則的にずれた異なる位置にオーバーラップ又は隣接するように配置されていることを特徴とする非接触式ＩＣタグ付シュリンクフィルム。
【請求項１１】
請求項１乃至１０のいずれか１項記載の非接触式ＩＣタグ付シュリンクフィルムにおいて、前記各々ＩＣタグ付シュリンクフィルムＡに１枚ずつ配置されたＩＣタグインレット３が、該シュリンクフィルムＡの領域における二次元方向に規則的にずれた異なる位置にオーバーラップ又は隣接するように配置されていることを特徴とする非接触式ＩＣタグ付シュリンクフィルム。
【請求項１２】
商品本体又は商品を包装する包装体本体等の物品の周囲表面に、上記請求項１乃至１１のいずれか１項記載の非接触式ＩＣタグ付シュリンクフィルムＡが、その感圧接着性層２及びＩＣタグインレット３を内面にして加熱収縮により密着して巻き付けられていることを特徴とする非接触式ＩＣタグ付物品。
【発明の詳細な説明】
【技術分野】
【０００１】
本発明は、紙、プラスチック等のフィルム、シート、ラベル等の支持シートに対して、情報データを記録し読み出しできる非接触式ＩＣモジュールを搭載した非接触式ＩＣタグ付シュリンクフィルム及び非接触式ＩＣタグ付物品に関する。
【背景技術】
【０００２】
一般に、製造・販売者側が、顧客や消費者に対して、各種商品に関する商品名や商品情報、あるいは商品製造情報や販売情報や製造・販売者情報等の情報、あるいは、キャンペーン時の景品等の当たりはずれ情報、キャンペーン応募情報等の情報を提供しようとする場合は、それらの情報を掲載したラベルや情報提供用小冊子やサービスシートや情報カード等を、商品本体や包装体等の商品に添付することが行われている。
【０００３】
しかしながら、通常の用紙等のシート面に、上記の商品情報や、商品情報以外のキャンペン情報等を印刷により表示した情報提供ラベルやサービスシート等は、シート面への印刷表示やデザイン表示において、シートスペースの制約を受けるとともに、顧客が、その情報提供ラベルやサービスシートを用いてキャンペーン等に応募する際においては、そのシートの応募券部の切り取りや、応募券シール部の剥がし取り、あるいは応募券の収集、応募シート台紙への添付や応募券やシールの郵送等の手間が掛かる。
【０００４】
また、現状のように景品等の当たりはずれ情報、キャンペーン時の応募券マーク、シール等の商品情報以外の情報が、情報提供サービスシートへの印刷により提示されている場合には、当たり券や応募券や応募シール等のコピーや偽造、あるいは不正使用等のトラブルが発生したり、また、その発生が見過ごされてしまう危険性もある。
【０００５】
また、商品の販売キャンペーンを実施する製造業者や販売業者にとっても、多数の顧客から応募されてくる応募データのデータ集計処理やデータ処理後の対応に手間が掛かるとともに、応募により入手した顧客情報データ等が、旨く活用され難いといった不都合もある。
【０００６】
近年は、商品情報や、商品情報以外の当たりはずれ情報、応募券マーク、応募シール等の情報等を電子データとして書き込み記録可能なＩＣタグインレット（ＩＣモジュール、アンテナ付きＩＣチップ）や、ＩＣタグインレットを装着した商品ラベルや、サービスシート等を製造する技術が開発されてきており、例えば、特開２００１−１９５５５６、特開２００２−３４２７２８、特開２００３−１１９１４、特開２００４−２０２８９４などがある。
【０００７】
そこで、これらの商品情報や商品情報以外の情報を電子データとして記録し、専用の読取手段によって読み出しできるＩＣチップとアンテナからなるＩＣモジュール（又はＩＣチップ、又はＩＣチップとアンテナからなる１単位のＩＣモジュールを小片支持シートに搭載したＩＣモジュール）を搭載したＩＣタグインレットや、該ＩＣタグインレットを装着したＩＣタグシートなどを添付した商品や包装体等が市販されるようになっている。
【０００８】
以下に、従来公知の特許文献を記載する。
【特許文献１】特開２００１−１９５５５６号公報
【特許文献２】特開２００２−３４２７２８号公報
【特許文献３】特開２００３−１１９１４号公報
【特許文献４】特開２００４−２０２８９４号公報
【発明の開示】
【発明が解決しようとする課題】
【０００９】
本発明の課題は、ＩＣタグインレットを装着した熱収縮性フィルム及びそれを用いた商品であって、商品本体や商品を包装する包装体に対して、ＩＣタグインレットを容易に装着することができる熱収縮性フィルム及びその熱収縮性フィルムを用いた商品を提供することにある。
【課題を解決するための手段】
【００１０】
本発明の請求項１に係る発明は、小片状に型抜きした一軸方向延伸フィルム又は二軸方向延伸フィルムによる熱収縮性フィルム層１の裏面に感圧接着性層２が設けられ、該感圧接着性層２を介して、偏平小片状のアンテナ付きＩＣチップからなる１単位のＩＣモジュールをフィルム基材に装着したＩＣタグインレット３が取り付け配置されていることを特徴とする非接触式ＩＣタグ付シュリンクフィルムである。
【００１１】
本発明の請求項２に係る発明は、小片状に型抜きした一軸方向延伸フィルム又は二軸方向延伸フィルムによる熱収縮性フィルム層１の裏面に感圧接着性層２が設けられ、前記熱収縮性フィルム層１と感圧接着性層２との層間に偏平小片状のアンテナ付きＩＣチップからなる１単位のＩＣモジュールをフィルム基材に装着したＩＣタグインレット３が取り付け配置されていることを特徴とする非接触式ＩＣタグ付シュリンクフィルムである。
【００１２】
本発明の請求項３に係る発明は、上記請求項１又は２に係る非接触式ＩＣタグ付シュリンクフィルムにおいて、前記ＩＣタグインレット３が、一軸方向延伸フィルムによる前記熱収縮性フィルム層１の延伸方向に対して略直交する方向を長手方向として取り付け配置されていることを特徴とする非接触式ＩＣタグ付シュリンクフィルムである。
【００１３】
本発明の請求項４に係る発明は、上記請求項１又は２に係る非接触式ＩＣタグ付シュリンクフィルムにおいて、前記ＩＣタグインレット３が、二軸方向延伸フィルムによる前記熱収縮性フィルム層１のいずれか一方の延伸方向に対して略直交する方向を長手方向として取り付け配置されていることを特徴とする非接触式ＩＣタグ付シュリンクフィルムである。
【００１４】
本発明の請求項５に係る発明は、上記請求項１乃至４のいずれか１項に係る非接触式ＩＣタグ付シュリンクフィルムにおいて、前記ＩＣタグインレット３のフィルム基材の端部に、前記熱収縮性フィルム層１のいずれか一方の延伸方向に対して平行な、１乃至複数本の刻切線が設けられていることを特徴とする非接触式ＩＣタグ付シュリンクフィルムである。
【００１５】
本発明の請求項６に係る発明は、上記請求項１乃至５のいずれか１項に係る非接触式ＩＣタグ付シュリンクフィルムにおいて、前記感圧接着性層２が、前記熱収縮性フィルム層１のいずれか一方の延伸方向の一端部又は両端部にベタ状又はドット状又はストライプ状等のパータン状に設けられていることを特徴とする非接触式ＩＣタグ付シュリンクフィルムである。
【００１６】
本発明の請求項７に係る発明は、上記請求項１乃至５のいずれか１項に係る非接触式ＩＣタグ付シュリンクフィルムにおいて、前記感圧接着性層２が、前記熱収縮性フィルム層
１の全面にベタ状又はドット状又はストライプ状等のパータン状に設けられていることを特徴とする非接触式ＩＣタグ付シュリンクフィルムである。
【００１７】
本発明の請求項８に係る発明は、上記請求項１乃至５のいずれか１項に係る非接触式ＩＣタグ付シュリンクフィルムにおいて、前記感圧接着性層２が、前記熱収縮性フィルム層１に用いる熱収縮性フィルムに対して感熱接着性を備えることを特徴とする非接触式ＩＣタグ付シュリンクフィルムである。
【００１８】
本発明の請求項９に係る発明は、上記請求項１乃至８のいずれか１項に係る非接触式ＩＣタグ付シュリンクフィルムにおいて、前記各々ＩＣタグ付シュリンクフィルムＡに１枚ずつ配置されたＩＣタグインレット３が、該シュリンクフィルムＡの領域における規則的にずれた異なる位置に配置されていることを特徴とする非接触式ＩＣタグ付シュリンクフィルムである。
【００１９】
本発明の請求項１０に係る発明は、上記請求項９に係る非接触式ＩＣタグ付シュリンクフィルムにおいて、前記各々ＩＣタグ付シュリンクフィルムＡに１枚ずつ配置されたＩＣタグインレット３が、該シュリンクフィルムＡの領域における一次元方向に規則的にずれた異なる位置にオーバーラップ又は隣接するように配置されていることを特徴とする非接触式ＩＣタグ付シュリンクフィルムである。
【００２０】
本発明の請求項１１に係る発明は、上記請求項１乃至１０のいずれか１項に係る非接触式ＩＣタグ付シュリンクフィルムにおいて、前記各々ＩＣタグ付シュリンクフィルムＡに１枚ずつ配置されたＩＣタグインレット３が、該シュリンクフィルムＡの領域における二次元方向に規則的にずれた異なる位置にオーバーラップ又は隣接するように配置されていることを特徴とする非接触式ＩＣタグ付シュリンクフィルムである。
【００２１】
本発明の請求項１２に係る発明は、商品本体又は商品を包装する包装体本体等の物品の周囲表面に、上記請求項１乃至１１のいずれか１項に係る非接触式ＩＣタグ付シュリンクフィルムＡが、その感圧接着性層２及びＩＣタグインレット３を内面にして加熱収縮により密着して巻き付けられていることを特徴とする非接触式ＩＣタグ付物品である。
【発明の効果】
【００２２】
本発明の非接触式ＩＣタグ付シュリンクフィルムＡは、パッケージ等の分野におけるシュリンク包装材料や、プラスチックボトル、ガラス瓶等の容器の周囲にタイトに巻き付けるシュリンクフィルムとして使用することが可能であって、加熱により収縮する小片状に型抜きした熱収縮性フィルム層１の裏面に、アンテナ付きＩＣチップからなる１単位のＩＣモジュールをフィルム基材に装着した非接触式ＩＣタグインレット３と、感圧接着性層２とが設けられているシュリンクフィルムＡであり、例えば、シュリンク包装材料として使用する際には、該シュリンクフィルムを、前記感圧接着性層２によって、容器本体や商品本体等の物品の表面に仮貼着や仮止めすることが可能であり、シュリンクフィルムの位置決めが容易であり、その位置決め後に該シュリンクフィルムを巻き付け、その両端部のフィルム同士を重ね合わせて重ね合わせフィルム面のみをシール加熱加圧にて溶融して、ヒートシール接着した後に、巻き付けられたシュリンクフィルムの全体をシュリンク加熱して、容器本体や商品本体等の表面にタイトに巻き付けることができ、非接触式ＩＣタグ付きの容器、商品等の物品を容易に製造することが可能となる。
【００２３】
また、本発明の非接触式ＩＣタグ付シュリンクフィルムＡは、各々非接触式ＩＣタグ付シュリンクフィルムＡのＩＣタグインレット３を、熱収縮性フィルム層１の裏面領域における規則的にずれた異なる位置に配置することにより、例えば、各々ＩＣタグ付シュリンクフィルムＡの一次元方向又は二次元方向に、規則的にずれた異なる位置にオーバーラッ
プ又は隣接して配置することにより、非接触式ＩＣタグ付シュリンクフィルムＡを、その裏面に離型シート（セパレータ）を介在させて積載した際に、厚さのあるＩＣタグインレット３の部分が他の部分より高く盛り上がることがなく、平坦且つ均一に積載することができ、そのためにＩＣタグシートに搭載したＩＣチップやアンテナは、面的又は形状的に湾曲したり変形を起こさず、ＩＣタグインレット１ａの性能や耐久性に対する悪影響を回避することができる。
【発明を実施するための最良の形態】
【００２４】
本発明の非接触式ＩＣ付シュリンクフィルムの実施の形態を以下に詳細に説明すれば、本発明のシュリンクフィルムは、図１（ａ）のＸ−Ｘ側断面図、図１（ｂ）の全体平面図に示すように小片状に型抜きした一軸（Ｍ軸）方向延伸フィルム又は二軸（Ｍ軸、Ｎ軸）方向延伸フィルムによる熱収縮性フィルム層１を基材層として、その裏面に感圧接着性層２が設けられている。
【００２５】
そして、前記熱収縮性フィルム層１の裏面には、前記感圧接着性層２を介して、偏平小片状のＩＣチップ３ａに、例えば、図示するようなコイル線状、又は直線状等の適宜形状のアンテナ３ｂを備えた１単位のＩＣモジュールをフィルム基材に装着したＩＣタグインレット３が取り付け配置されているものである。
【００２６】
また、本発明のシュリンクフィルムＡの他の実施の形態としては、図２（ａ）のＸ−Ｘ側断面図、図２（ｂ）の全体平面図に示すように、小片状に型抜きした一軸（Ｍ軸）方向延伸フィルム又は二軸（Ｍ軸、Ｎ軸）方向延伸フィルムによる熱収縮性フィルム層１を基材層として、その裏面に感圧接着性層２が設けられている。
【００２７】
そして、前記熱収縮性フィルム層１と感圧接着性層２との層間に、偏平小片状のＩＣチップ３ａにアンテナ３ｂを備えた１単位のＩＣモジュールをフィルム基材に装着したＩＣタグインレット３が取り付け配置されているものである。
【００２８】
前記熱収縮性フィルム層１としては、ポリエチレン、ポリプロピレン、ポリエチレンテレフタレート、ポリ塩化ビニル等の一軸（Ｍ軸）方向延伸フィルム又は二軸（Ｍ軸、Ｎ軸）方向延伸フィルム（成膜後のフィルムの再加熱延伸による延伸フィルム）が使用でき、感熱接着性層２としては、熱収縮性フィルム層１のポリエチレン、ポリプロピレン、ポリエチレンテレフタレート等のフィルムに対して接着性のある高分子材料を用いた感圧接着性の公知の粘着剤が使用でき、また、必要に応じて、感圧接着性（粘着剤による粘着性）と、前記熱収縮性フィルム層１に用いる熱収縮性フィルムに対して感熱接着性（加熱による粘着性を形成する粘着剤中の不揮発性溶媒の揮発と熱可塑性合成樹脂溶質の溶融接着性）とを兼ね備えた粘着剤を使用することができる。
【００２９】
本発明の非接触式ＩＣ付シュリンクフィルムＡにおける前記感圧接着性層２は、該シュリンクフィルムＡを、該感圧接着性層２によって容器本体や商品本体等の物品の表面に仮貼着や仮止めすることが可能な程度の接着力（粘着力）があれば良い。
【００３０】
また、該シュリンクフィルムＡを物品の表面に筒状に巻き付けて、そのフィルム両端部を重ね合わせ、重ね合わせフィルム面をシール加熱加圧して溶融した際に、熱収縮性フィルム層１を構成するフィルム同士が互いに直接に接触してヒートシール接着（感熱接着）が可能な程度に、また、シュリンクフィルムＡを物品の表面に筒状に巻き付けた後の加熱による延伸方向（Ｍ軸方向、Ｎ軸方向）へのフィルムＡの収縮における該シュリンクフィルムＡの物品界面におけるスライド移動が円滑に行われるように、その感圧接着性層２の層厚は比較的薄く、粘着力が弱いことが適当である。
【００３１】
前記感圧接着性層２は、図１（ｂ）に示すように、熱収縮性フィルム層１のいずれか一方の延伸方向（Ｍ軸方向又はＮ軸方向）の一端部１ａ又は両端部１ａ、１ａに、ベタ状、又はドット状、又はストライプ状等のパータン状に設けられていてもよいし、熱収縮性フィルム層１の全面に、ベタ状、又はドット状、又はストライプ状等のパータン状に設けられていてもよい。
【００３２】
本発明の非接触式ＩＣ付シュリンクフィルムＡの前記ＩＣタグインレット３は、熱収縮性フィルム層１の裏面に前記感圧接着性層２を介して該接着性層２により接着固定されていてもよいし、あるいは前記熱収縮性フィルム層１の裏面に前記感圧接着性層２とは別の感圧接着剤（粘着剤）又は感熱接着剤を用いて接着固定されていてもよい。
【００３３】
前記熱収縮性フィルム層１の領域内におけるＩＣタグインレット３の取り付け位置は、該熱収縮性フィルム層１裏面の領域内のいずれの位置に取り付け配置されていてもよい。
【００３４】
例えば、ＩＣタグインレット３は、図１（ｂ）に示すように、一軸方向延伸フィルムによる前記熱収縮性フィルム層１の延伸方向（Ｍ軸方向）に対して、略直交する方向を長手方向として取り付け配置されていることが適当であり、また、二軸方向延伸フィルムによる前記熱収縮性フィルム層１のいずれか一方の延伸方向（Ｍ軸方向又はＮ軸方向）に対して、略直交する方向を長手方向として取り付け配置されていることが適当である。
【００３５】
また、本発明の非接触式ＩＣ付シュリンクフィルムＡにおいては、前記ＩＣタグインレット３のフィルム基材の端部には、図１（ｂ）の平面図に示すように、必要に応じて、前記熱収縮性フィルム層１のいずれか一方の延伸方向に対して平行に、１乃至複数本の刻切線３ｃが設けられていて、例えば、非接触式ＩＣタグ付シュリンクフィルムを延伸方向に沿って引き裂いた時に、同時にＩＣタグインレット３も、そのアンテナ３ｂ部分を引き裂き破断することができ、ＩＣタグインレット３と読み取り手段との間の交信（プロトコル）を遮断することができるようになる。
【００３６】
また、本発明の非接触式ＩＣ付シュリンクフィルムＡにおいては、１枚ずつ配置された前記ＩＣタグインレット３を、該シュリンクフィルムＡの領域における規則的にずれた異なる位置、図示しないが、例えば該シュリンクフィルムＡの領域における一次元方向に規則的にずれた異なる位置、あるいは二次元方向に規則的にずれた異なる位置にオーバーラップ又は隣接するように配置するようにしてもよい。
【００３７】
また、本発明の非接触式ＩＣ付シュリンクフィルムＡにおいては、図３（ａ）又は図４（ａ）に示すように、本発明の非接触式ＩＣ付シュリンクフィルムＡにおける一軸方向延伸フィルムによる熱収縮性フィルム層１の延伸方向（Ｍ軸方向）の他端部１ａに、プルタブ４を突起状に延設することができ、図３（ｂ）又は図４（ｂ）に示すように、このプルタブ４の熱収縮性フィルム層１には、感圧接着性層２（粘着剤層）を設けても設けなくてもいずれでもよい。なお、図４に示すように、熱収縮性フィルム層１にはプルタブ４に連続して、そのフィルム延伸方向（Ｍ軸方向）に沿って、所定の幅（例えばプルタブ４の幅）に切り離し線４ａ、４ａ（ミシン目、ハーフカット）を刻切するようにしてもよい。
【００３８】
本発明の非接触式ＩＣ付シュリンクフィルムＡは、シュリンク包装材料として使用することができ、商品本体又は商品を包装する包装体本体等の物品の周囲表面に、感圧接着性層２及びＩＣタグインレット３を内面にして、該感圧接着性層２により位置決め固定して巻き付けた該シュリンクフィルムＡを、加熱により収縮させて、物品の周囲表面に密着させて巻き付けることができ、非接触式ＩＣタグ付きの物品を製造することができる。
【００３９】
本発明の非接触式ＩＣ付シュリンクフィルムＡ両端部のヒートシール接着に必要なシー
ル加熱温度と、該シュリンクフィルムＡの熱収縮に必要なシュリンク加熱温度（フィルム融点以下の加熱温度）は、それぞれ熱収縮性フィルム層１に使用するフィルムの種類と加熱継続時間により異なるが、例えば、ポリプロピレンフィルムによるシュリンクフィルムＡの場合は、シール加熱温度１２０〜１４５℃、シュリンク加熱温度１２０〜１５０℃、ポリエチレンフィルムによるシュリンクフィルムＡの場合は、シール加熱温度１５０〜１８０℃、シュリンク加熱温度１３０〜１８０℃、ポリ塩化ビニルフィルムによるシュリンクフィルムＡの場合は、シール加熱温度１６０〜２００℃、シュリンク加熱温度９０〜１１０℃程度である。
【００４０】
商品本体や商品を包装する包装体本体等の物品としては、例えば、図５に示すように液体を充填したガラス瓶等の容器本体Ｂがあり、その注出口部Ｂ1 （ネック部）の先端注出口は、密閉蓋部Ｂ2 のコルク栓Ｂ3 により密閉状態に閉栓されている。
【００４１】
本発明の非接触式ＩＣ付シュリンクフィルムＡは、図５に示すように、その感圧接着性層２及びＩＣタグインレット３を内面にして、前記容器本体Ｂの注出口部Ｂ1 及び密閉蓋部Ｂ2 を覆うように周囲表面に、該シュリンクフィルムＡの一端部１ａをその感圧接着性層２（粘着性層）により仮貼着して位置決めし、該シュリンクフィルムＡの一端部１ａ上に他端部１ａを重ね合わせて巻き付けた後、図６に示すように、そのシュリンクフィルムＡの重ね合わせた両端部１ａ、１ａのシュリンクフィルムＡ同士を、シール加熱部１ｃ（斜線部）にてシール加熱加圧し溶融してヒートシール接着する。
【００４２】
そして、筒状に巻き付け固定されたシュリンクフィルムＡは、その後、前記シール加熱温度と同じ程度の温度若しくはその前後の温度、又はそのシール加熱温度よりも低い温度にて、そのシュリンクフィルムＡ全体を加熱して熱収縮させ、容器本体Ｂの注出口部Ｂ1 及び密閉蓋部Ｂ2 の表面にタイトに巻き付けることができ、非接触式ＩＣタグ付きの容器等の物品を製造することが可能となる。なおタイトに巻き付けられたシュリンクフィルムＡは、その延伸方向（Ｍ軸方向）に沿って引き裂くことができ、容易に除去したり開封したりすることができる。
【００４３】
図３、図４に示した一端部にプルタブ４を設けた非接触式ＩＣ付シュリンクフィルムＡを用いて、容器本体Ｂの注出口部Ｂ1 及び密閉蓋部Ｂ2 を覆うように周囲表面にタイトに巻き付ける場合は、図７に示すように、シュリンクフィルムＡを、その感圧接着性層２及びＩＣタグインレット３を内面にして、前記容器本体Ｂの注出口部Ｂ1 及び密閉蓋部Ｂ2 を覆うように周囲表面に、該シュリンクフィルムＡの他端部１ａのプルタブ４と対向する一端部１ａを、その感圧接着性層２（粘着性層）により仮貼着して位置決めし、該シュリンクフィルムＡの一端部１ａ上に、プルタブ４のある他端部１ａを重ね合わせて巻き付けた後、図８に示すように、そのシュリンクフィルムＡの重ね合わせた両端部１ａ、１ａのシュリンクフィルムＡ同士を、シール加熱部１ｃ（斜線部）にてシール加熱加圧し溶融してヒートシール接着する。なお、その際にはプルタブ４領域は、シール加熱してもしなくてもいずれでもよく、その際の他端部１ａのプルタブ４の内面は、シール加熱しない場合はシュリンクフィルムＡの一端部１ａ面に対して、非接着状態か又は感圧接着性層２（粘着性層）により仮接着状態となっており、またシール加熱した場合はシュリンクフィルムＡの一端部１ａ面に対して、非接着状態か又は感圧接着性層２（粘着性層）により仮接着状態又は剥離可能に接着されていることが適当である。
【００４４】
そして、筒状に巻き付け固定されたシュリンクフィルムＡは、その後、前記シール加熱温度と同じ程度の温度若しくはその前後の温度、又はそのシール加熱温度よりも低い温度にて、そのシュリンクフィルムＡ全体を加熱して熱収縮させ、容器本体Ｂの注出口部Ｂ1 及び密閉蓋部Ｂ2 のそれぞれ表面にタイトに巻き付けることができ、シュリンクフィルム開封用のプルタブ４を備えた非接触式ＩＣタグ付きの容器等の物品を製造することが可能
となる。なお、タイトに巻き付けられたプルタブ付きのシュリンクフィルムＡは、プルタブ４を手指に持って、その延伸方向（Ｍ軸方向）に沿って引き裂くことができ、容易に除去したり開封したりすることができる。
【図面の簡単な説明】
【００４５】
【図１】（ａ）は本発明の非接触式ＩＣタグ付シュリンクフィルムの一実施の形態を説明するＸ−Ｘ側断面図、（ｂ）はその平面図。
【図２】（ａ）は本発明の非接触式ＩＣタグ付シュリンクフィルムの他の実施の形態を説明するＸ−Ｘ側断面図、（ｂ）はその平面図。
【図３】（ａ）は本発明の非接触式ＩＣタグ付シュリンクフィルムの他の実施の形態を説明するＸ−Ｘ側断面図、（ｂ）はその平面図。
【図４】（ａ）は本発明の非接触式ＩＣタグ付シュリンクフィルムの他の実施の形態を説明するＸ−Ｘ側断面図、（ｂ）はその平面図。
【図５】本発明の非接触式ＩＣタグ付シュリンクフィルムを用いた非接触式ＩＣタグ付物品の製造を説明する部分側面図。
【図６】本発明の非接触式ＩＣタグ付シュリンクフィルムを用いて製造される非接触式ＩＣタグ付物品を説明する部分側面図。
【図７】本発明の非接触式ＩＣタグ付シュリンクフィルムを用いた非接触式ＩＣタグ付物品の製造を説明する部分側面図。
【図８】本発明の非接触式ＩＣタグ付シュリンクフィルムを用いて製造される非接触式ＩＣタグ付物品を説明する部分側面図。
【符号の説明】
【００４６】
Ａ…非接触式ＩＣタグ付シュリンクフィルム
Ｂ…物品
１…熱収縮性フィルム層
２…感圧接着性層
３…ＩＣタグインレット
４…プルタブ
【図１】
2006305860.tif 000003
【図２】
2006305860.tif 000004
【図３】
2006305860.tif 000005
【図４】
2006305860.tif 000006
【図５】
2006305860.tif 000007
【図６】
2006305860.tif 000008
【図７】
2006305860.tif 000009
【図８】
2006305860.tif 000010